(57)【特許請求の範囲】
【請求項１】
複数の印刷の種別、および複数の印刷機能を有する印刷装置であって、
用紙に画像を印刷する印刷部と、
前記印刷部によって画像が印刷される前記用紙をセットする用紙セット部と、
前記用紙セット部にセットされる前記用紙のサイズおよび前記用紙のメディアタイプの少なくともいずれか一方のデータを入力させる入力部と、
前記入力部により入力された前記データに基づいて、複数の前記印刷の種別のうちのいずれが、前記用紙セット部にセットされた前記用紙に対して設定することが可能か否かを判断する第一の判断部と、
前記第一の判断部により可能であると判断された前記印刷の種別の設定を受け付け、前記第一の判断部により不可能であると判断された前記印刷の種別の設定を禁止する第一の受け付け部と、
前記入力部により入力された前記データに基づいて、複数の前記印刷機能のうちのいずれが、前記用紙セット部にセットされた前記用紙に対して設定することが可能か否かを判断する第二の判断部と、
前記第二の判断部により可能であると判断された前記印刷機能の設定を受け付け、前記第二の判断部により不可能であると判断された前記印刷機能の設定を禁止する第二の受け付け部と、
前記入力部により入力された前記データ、前記第一の受け付け部により受け付けた前記印刷の種別、および前記第二の受け付け部により受け付けた前記印刷機能の設定に応じて、前記用紙セット部にセットされた前記用紙に対し、前記印刷部による画像の印刷を行うよう制御する制御部とを備える、印刷装置。
【請求項２】
前記第二の判断部は、前記入力部により入力された前記データおよび前記第一の受け付け部により受け付けた前記印刷の種別の設定に基づいて、複数の前記印刷機能のうちのいずれが、前記用紙セット部にセットされた前記用紙に対して設定することが可能か否かを判断する、請求項１に記載の印刷装置。
【請求項３】
前記用紙セット部にセットされた前記用紙に対して処理を施す処理機能を複数有する処理装置と、
前記入力部に入力された前記データに基づいて、複数の前記処理機能のうちのいずれが、前記用紙セット部にセットされた前記用紙に対して設定することが可能か否かを判断する第三の判断部と、
前記第三の判断部により可能であると判断された前記処理機能の設定を受け付け、前記第三の判断部により不可能であると判断された前記処理機能の設定を禁止する第三の受け付け部とを備え、
前記制御部は、前記第三の受け付け部により受け付けた前記処理機能の設定に応じて、前記用紙セット部にセットされた前記用紙に対し、前記印刷部による画像の印刷を行うよう制御する、請求項１または２に記載の印刷装置。
【請求項４】
前記第三の判断部は、前記入力部により入力された前記データ、前記第一の受け付け部により受け付けた前記印刷の種別の設定、および前記第二の受け付け部により受け付けた前記印刷機能の設定に基づいて、複数の前記処理機能のうちのいずれが、前記用紙部にセットされた前記用紙に対して設定することが可能か否かを判断する、請求項３に記載の印刷装置。
【請求項５】
前記第一の受け付け部は、一つの前記印刷の種別の設定を受け付ける、請求項１〜４のいずれか１項に記載の印刷装置。
【請求項６】
複数の前記印刷の種別には、コピー印刷、プリンター印刷、およびファクシミリ印刷のうちの少なくともいずれか一つが含まれる、請求項１〜５のいずれか１項に記載の印刷装置。
【請求項７】
複数の前記印刷機能の設定には、モノクロ印刷かカラー印刷かの設定、および両面印刷か片面印刷かの設定のうちの少なくともいずれか一つを含む、請求項１〜６のいずれか１項に記載の印刷装置。
【請求項８】
複数の前記処理機能には、パンチ機能、およびステープル機能のうちの少なくともいずれか一つの機能を含む、請求項３〜７のいずれか１項に記載の印刷装置。
【請求項９】
前記用紙セット部は、複数備えられており、
前記用紙セット部毎に、前記第一〜第三の受け付け部による設定が可能である、請求項３〜８のいずれか１項に記載の印刷装置。
【請求項１０】
複数の印刷の種別、および複数の印刷機能を有する印刷装置と、前記印刷装置に接続され、前記印刷装置に対して印刷を要求することができるコンピューターとを含む印刷システムであって、
前記印刷装置は、用紙に画像を印刷する印刷部と、
前記印刷部によって画像が印刷される前記用紙をセットする用紙セット部とを備え、
前記印刷装置および前記コンピューターのいずれか一方は、前記用紙セット部にセットされる前記用紙のサイズおよび前記用紙のメディアタイプの少なくともいずれか一方のデータを入力させる入力部と、
前記入力部により入力された前記データに基づいて、複数の前記印刷の種別のうちのいずれが、前記用紙セット部にセットされた前記用紙に対して設定することが可能か否かを判断する第一の判断部と、
前記第一の判断部により可能であると判断された前記印刷の種別の設定を受け付け、前記第一の判断部により不可能であると判断された前記印刷の種別の設定を禁止する第一の受け付け部と、
前記入力部により入力された前記データに基づいて、複数の前記印刷機能のうちのいずれが、前記用紙セット部にセットされた前記用紙に対して設定することが可能か否かを判断する第二の判断部と、
前記第二の判断部により可能であると判断された前記印刷機能の設定を受け付け、前記第二の判断部により不可能であると判断された前記印刷機能の設定を禁止する第二の受け付け部と、
前記入力部により入力された前記データ、前記第一の受け付け部により受け付けた前記印刷の種別、および前記第二の受け付け部により受け付けた前記印刷機能の設定に応じて、前記用紙セット部にセットされた前記用紙に対し、前記印刷部による画像の印刷を行うよう制御する制御部とを備える、印刷システム。
【発明の詳細な説明】
【技術分野】
【０００１】
この発明は、印刷装置、および印刷システムに関するものである。
【背景技術】
【０００２】
デジタル複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、給紙された用紙に転写して定着させ、装置外に排出する。
【０００３】
ここで、画像形成装置における給紙に関する技術が、特開平７−２７１２４６号公報（特許文献１）、特開平１１−３２１３９号公報（特許文献２）、および特開２００８−２８１６６６号公報（特許文献３）に開示されている。
【０００４】
特許文献１によると、記録材を手差し給紙する手差し給紙モードを設定するモード設定手段と、モード設定手段による手差し給紙モードの設定に応じて、手差し給紙される記録材の材質を設定する材質設定手段とを有することを特徴とする画像形成装置が開示されている。
【０００５】
特許文献２によると、第１、第２の給紙トレイのいずれかがプリンター専用給紙トレイとして設定されている状態で印刷出力要求があったとき、その要求内容を判別し、その要求内容がコンピューターからの画像データの印刷出力であれば、プリンター専用給紙トレイとして設定されている給紙トレイからの給紙を許可し、コンピューターから指示された給紙トレイから給紙を行う画像形成装置が開示されている。また、特許文献２に開示の画像形成装置によると、要求内容がＦＡＸ受信する画像データの印刷出力であれば、プリンター専用給紙トレイとして設定されている給紙トレイからの給紙を禁止し、それ以外の給紙トレイから給紙を行うこととしている。
【０００６】
特許文献３によると、複数の給紙カセットを備え、給紙カセットからの用紙の選択的な供給を受けて印刷部にて印刷を行う画像形成装置であって、給紙カセットに応じて処理可能な機能を記憶するカセット機能記憶部と、機能を選択して優先的な設定の入力が可能な入力部と、入力部で優先的に設定された機能とカセット機能記憶部に記憶された給紙カセット毎の処理可能な機能とに基づいて給紙カセットを選定するカセット選定部とを有することを特徴とする画像形成装置が開示されている。
【先行技術文献】
【特許文献】
【０００７】
【特許文献１】特開平７−２７１２４６号公報
【特許文献２】特開平１１−３２１３９号公報
【特許文献３】特開２００８−２８１６６６号公報
【発明の概要】
【発明が解決しようとする課題】
【０００８】
ユーザーが、印刷装置において印刷を行う場合、印刷に先立って、給紙カセットや手差しトレイといった用紙をセットするための用紙セット部に用紙を収納する。ここで、用紙セット部に用紙をセットした際に、用紙の材質のタイプ、すなわち、メディアタイプや用紙のサイズ、さらには詳細な設定を入力する場合がある。この場合、用紙のサイズやメディアタイプによっては、設定が不可能な印刷の種別や印刷装置の機能も存在する。このような場合、ユーザーが、誤って設定が不可能な印刷の種別や印刷装置の機能を設定してしまうこともある。そうすると、印刷ミスを生じさせたり、ユーザーの意図しない印刷となってしまうおそれがある。特許文献１〜特許文献３に開示の技術では、対応することができない。
【０００９】
この発明の目的は、印刷ミスのおそれを低減し、よりユーザーの意図に沿った印刷をすることができる印刷装置を提供することである。
【００１０】
この発明の他の目的は、印刷ミスのおそれを低減し、よりユーザーの意図に沿った印刷をすることができる印刷システムを提供することである。
【課題を解決するための手段】
【００１１】
この発明に係る印刷装置は、複数の印刷の種別、および複数の印刷機能を有する。印刷装置は、用紙に画像を印刷する印刷部と、印刷部によって画像が印刷される用紙をセットする用紙セット部と、用紙セット部にセットされる用紙のサイズおよび用紙のメディアタイプの少なくともいずれか一方のデータを入力させる入力部と、入力部により入力されたデータに基づいて、複数の印刷の種別のうちのいずれが、用紙セット部にセットされた用紙に対して設定することが可能か否かを判断する第一の判断部と、第一の判断部により可能であると判断された印刷の種別の設定を受け付け、第一の判断部により不可能であると判断された印刷の種別の設定を禁止する第一の受け付け部と、入力部により入力されたデータに基づいて、複数の印刷機能のうちのいずれが、用紙セット部にセットされた用紙に対して設定することが可能か否かを判断する第二の判断部と、第二の判断部により可能であると判断された印刷機能の設定を受け付け、第二の判断部により不可能であると判断された印刷機能の設定を禁止する第二の受け付け部と、入力部により入力されたデータ、第一の受け付け部により受け付けた印刷の種別、および第二の受け付け部により受け付けた印刷機能の設定に応じて、用紙セット部にセットされた用紙に対し、印刷部による画像の印刷を行うよう制御する制御部とを備える。
【００１２】
このような印刷装置によると、入力部により入力されたデータ、第一の受け付け部により受け付けた印刷の種別の設定、および第二の受け付け部により受け付けた印刷機能の設定に応じて、用紙セット部にセットされた用紙に対し、印刷部による印刷を行う。この場合、第一の判断部により、入力部によって入力されたデータに基づいて、用紙セット部が印刷の種別の設定を不可能なものに対して印刷の種別の設定を禁止し、可能なものの設定を受け付けているため、不可能な印刷の種別の設定を行うことがない。また、第二の判断部により、入力部によって入力されたデータに基づいて、用紙セット部が印刷機能の設定を不可能なものに対して印刷機能の設定を禁止し、可能なものの設定を受け付けているため、不可能な印刷機能の設定を行うことがない。そして、入力部により入力されたデータ、第一の受け付け部により受け付けた印刷の種別、および第二の受け付け部により受け付けた印刷機能の設定に応じて、用紙セット部にセットされた用紙に対し、印刷部による画像の印刷を行っているため、ユーザーの意図に沿って用紙セット部にセットされた用紙を用いて、印刷をすることができる。したがって、このような印刷装置は、印刷ミスのおそれを低減し、よりユーザーの意図に沿った印刷をすることができる。
【００１３】
この発明の他の局面において、印刷システムは、複数の印刷の種別、および複数の印刷機能を有する印刷装置と、印刷装置に接続され、印刷装置に対して印刷を要求することができるコンピューターとを含む。印刷装置は、用紙に画像を印刷する印刷部と、印刷部によって画像が印刷される用紙をセットする用紙セット部とを備える。印刷装置およびコンピューターのいずれか一方は、用紙セット部にセットされる用紙のサイズおよび用紙のメディアタイプの少なくともいずれか一方のデータを入力させる入力部と、入力部により入力されたデータに基づいて、複数の印刷の種別のうちのいずれが、用紙セット部にセットされた用紙に対して設定することが可能か否かを判断する第一の判断部と、第一の判断部により可能であると判断された印刷の種別の設定を受け付け、第一の判断部により不可能であると判断された印刷の種別の設定を禁止する第一の受け付け部と、入力部により入力されたデータに基づいて、複数の印刷機能のうちのいずれが、用紙セット部にセットされた用紙に対して設定することが可能か否かを判断する第二の判断部と、第二の判断部により可能であると判断された印刷機能の設定を受け付け、第二の判断部により不可能であると判断された印刷機能の設定を禁止する第二の受け付け部と、入力部により入力されたデータ、第一の受け付け部により受け付けた印刷の種別、および第二の受け付け部により受け付けた印刷機能の設定に応じて、用紙セット部にセットされた用紙に対し、印刷部による画像の印刷を行うよう制御する制御部とを備える。
【００１４】
このような印刷システムによると、印刷ミスのおそれを低減し、よりユーザーの意図に沿った印刷をすることができる。
【発明の効果】
【００１５】
このような印刷装置によると、入力部により入力されたデータ、第一の受け付け部により受け付けた印刷の種別の設定、および第二の受け付け部により受け付けた印刷機能の設定に応じて、用紙セット部にセットされた用紙に対し、印刷部による印刷を行う。この場合、第一の判断部により、入力部によって入力されたデータに基づいて、用紙セット部が印刷の種別の設定を不可能なものに対して印刷の種別の設定を禁止し、可能なものの設定を受け付けているため、不可能な印刷の種別の設定を行うことがない。また、第二の判断部により、入力部によって入力されたデータに基づいて、用紙セット部が印刷機能の設定を不可能なものに対して印刷機能の設定を禁止し、可能なものの設定を受け付けているため、不可能な印刷機能の設定を行うことがない。そして、入力部により入力されたデータ、第一の受け付け部により受け付けた印刷の種別、および第二の受け付け部により受け付けた印刷機能の設定に応じて、用紙セット部にセットされた用紙に対し、印刷部による画像の印刷を行っているため、ユーザーの意図に沿って用紙セット部にセットされた用紙を用いて、印刷をすることができる。したがって、このような印刷装置は、印刷ミスのおそれを低減し、よりユーザーの意図に沿った印刷をすることができる。
【００１６】
このような印刷システムによると、印刷ミスのおそれを低減し、よりユーザーの意図に沿った印刷をすることができる。
【図面の簡単な説明】
【００１７】
【図１】この発明の一実施形態に係る印刷装置をデジタル複合機に適用した場合のデジタル複合機の外観を示す概略図である。
【図２】この発明の一実施形態に係る印刷装置をデジタル複合機に適用した場合のデジタル複合機の構成を示すブロック図である。
【図３】操作部の概略的な構成を示す外観図である。
【図４】画像形成部の概略的な構成を示す図である。
【図５】給紙カセットに各種の設定を行う場合の処理の内容を示すフローチャートである。
【図６】給紙カセットを指定する際の操作部の表示画面の一例を示す図である。
【図７】用紙のサイズおよびメディアタイプを入力する際の操作部の表示画面の一例を示す図である。
【図８】専用段の設定を行う場合の操作部の表示画面の一例を示す図である。
【図９】印刷機能の許可設定を変更する場合の操作部の表示画面の一例を示す図である。
【図１０】後処理装置の処理機能の許可設定を変更する場合の操作部の表示画面の一例を示す図である。
【発明を実施するための形態】
【００１８】
以下、この発明の実施の形態を説明する。まず、この発明の一実施形態に係る印刷装置をデジタル複合機に適用した場合のデジタル複合機の構成について説明する。図１は、この発明の一実施形態に係る印刷装置をデジタル複合機に適用した場合のデジタル複合機の外観を示す概略図である。図２は、この発明の一実施形態に係る印刷装置をデジタル複合機に適用した場合のデジタル複合機の構成を示すブロック図である。
【００１９】
図１および図２を参照して、デジタル複合機１１は、デジタル複合機１１全体の制御を行う制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、手差しで用紙をセットする手差しトレイ２８や複数枚の用紙を収納可能な第一の給紙カセット２３ａ、第二の給紙カセット２３ｂ、第三の給紙カセット２３ｃを含み、画像を形成する用紙をセットする用紙セット部１９と、読み取った画像やネットワーク２５を介して送信された画像データを基に画像を形成する画像形成部１５と、画像形成部１５により用紙に画像を形成した後に用紙を排出する排出トレイ２９と、送信された画像データや入力された画像形成条件等の格納を行うハードディスク１６と、公衆回線２４に接続されており、ファクシミリ送信やファクシミリ受信を行うファクシミリ通信部１７と、ネットワーク２５と接続するためのネットワークインターフェース部１８と、印刷の終了した用紙の端部に貫通孔を開けるパンチ機構４２、印刷の終了した複数枚の用紙を束ねて端部をステープルで綴じるステープル機構４３、および印刷の終了した複数枚の用紙を折る等して製本を行う製本機構４４を含む後処理装置４１とを備える。用紙に後処理を施す後処理装置４１は、フィニッシャーとも呼ばれるものであり、デジタル複合機１１に着脱可能に取り付けられている。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００２０】
デジタル複合機１１は、画像読み取り部１４により読み取られた原稿を用いて画像形成部１５において画像を形成することにより、複写機として作動する。すなわち、デジタル複合機１１は、印刷の種別として、コピー印刷を含む。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、デジタル複合機１１は、印刷の種別として、プリンター印刷を含む。また、画像形成部１５は、要求された画像を印刷する印刷部として作動する。デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、印刷の種別として、ファクシミリ印刷を含む。デジタル複合機１１は、画像処理に関し、複写機能、プリンター機能、ファクシミリ機能等、複数の機能を有する。さらに、各機能に対しても、詳細に設定可能な機能を有する。
【００２１】
この発明の一実施形態に係る印刷システム２７は、デジタル複合機１１と、複数のコンピューター２６ａ、２６ｂ、２６ｃとを備える。具体的には、印刷システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２２】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２３】
次に、デジタル複合機１１に備えられる画像形成部１５の構成について、さらに詳細に説明する。図４は、この発明の一実施形態に係るデジタル複合機１１の概略的な構成を示す断面図である。なお、理解の容易の観点から、図４において、部材のハッチングを省略する。また、図４は、上下方向に延びる平面でデジタル複合機１１を切断した場合の断面図である。
【００２４】
図４を参照して、画像形成部１５は、イエロー、マゼンタ、シアン、ブラックの各４色に対応する４つの作像ユニット５１ａ、５１ｂ、５１ｃ、５１ｄを含む作像器５２と、画像読み取り部１４によって読み取った画像を基に、４つの作像ユニット５１ａ〜５１ｄにそれぞれ露光するＬＳＵ（Ｌａｓｅｒ  Ｓｃａｎｎｅｒ  Ｕｎｉｔ）５３と、作像ユニット５１ａ〜５１ｄによって形成された可視画像を用紙に転写する前に一時的に転写される中間転写体としての転写ベルト５４とを備える。転写ベルト５４は、無端状であって、一対の駆動ローラー５５ａ、５５ｂによって一方方向に回転しながら、イエロー、マゼンタ、シアン、ブラックの４色の作像ユニット５１ａ〜５１ｄにより形成された可視画像を転写される。その後、搬送されてきた用紙に転写ベルト５４上に転写された可視画像が転写され、図示しない定着ユニットにより可視画像が用紙に定着された後、デジタル複合機１１外、具体的には、排出トレイ２９上に排出される。デジタル複合機１１は、ブラックの作像ユニット５１ｄのみを用いたモノクロ印刷が可能である。また、デジタル複合機１１は、イエローの作像ユニット５１ａ、マゼンタの作像ユニット５１ｂ、およびシアンの作像ユニット５１ｃの少なくともいずれか一つを用いたカラー印刷が可能である。
【００２５】
次に、この発明の一実施形態に係るデジタル複合機１１を用いて、まず、給紙カセット２３ａにＡ６サイズの普通紙をセットする場合について説明する。ここでは、印刷者であるユーザーがデジタル複合機１１を用いて、給紙カセット２３ａ〜２３ｃのうち、最上段に配置される給紙カセット２３ａにＡ６サイズの普通紙をセットし、給紙カセット２３ａの設定を行う場合について説明する。この実施形態においては、給紙カセット２３ａには、用紙のサイズとしてＡ６サイズ、メディアタイプとして、普通紙である用紙を設定するものとする。なお、ここでセットされるＡ６サイズの普通紙は、裏紙、すなわち、用紙の両面のうちの一方の面には既に何らかの印刷がなされており、他方の面のみ印刷が可能な用紙とする。
【００２６】
図５は、給紙カセット２３ａに各種の設定を行う場合の処理の内容を示すフローチャートである。図５を参照して、まず、デジタル複合機１１は、操作部１３の表示画面２１において、用紙セット部１９のうち、用紙がセットされ、各種の設定を行う給紙カセット２３ａ〜２３ｃまたは手差しトレイ２８を指定させる（図５において、ステップＳ１１、以下、「ステップ」を省略する）。
【００２７】
図６は、設定を行う給紙カセット２３ａ〜２３ｃまたは手差しトレイ２８を指定させる際の操作部１３の表示画面２１の一例を示す図である。図６を参照して、表示画面２１には、「設定を行う給紙カセットまたは手差しトレイを指定してください。」とのメッセージ６１と、１番上の段に配置された第一の給紙カセット２３ａを指定させる「１段目」と表示された選択キー６２ａと、上から２番目の段に配置された第二の給紙カセット２３ｂを指定させる「２段目」と表記された選択キー６２ｂと、最下段に配置された第三の給紙カセット２３ｃを指定させる「３段目」と表記された選択キー６２ｃと、手差しトレイ２８を指定させる「手差しトレイ」と表記された選択キー６２ｄとが表示されている。
【００２８】
ここでは、ユーザーは、３つの給紙カセット２３ａ〜２３ｃおよび手差しトレイ２８のうち、１番上の段に配置された「１段目」の給紙カセット２３ａを指定する。この場合、ユーザーは、選択キー６２ａを押下する。そうすると、デジタル複合機１１は、選択キー６２ａの押下を検知することにより、「１段目」の給紙カセット２３ａが設定を行う給紙カセットとして指定されたものと認識する。なお、図６において、選択キー６２ａが押下された状態を、ハッチングで示している。
【００２９】
設定を行う給紙カセット２３ａの指定を受け付けると、次に、デジタル複合機１１は、操作部１３の表示画面２１において、給紙カセット２３ａにセットする用紙のサイズ、およびメディアタイプの入力を受け付ける（Ｓ１２）。ここで、操作部１３等は、入力部として作動する。
【００３０】
図７は、用紙のサイズおよびメディアタイプを入力させる場合の操作部１３の表示画面２１の一例を示す図である。図７を参照して、表示画面２１には、「用紙のサイズとメディアタイプを入力してください。」とのメッセージ６３と、用紙のサイズを入力させるウィンドウ６４ａと、用紙のサイズとしてＡ４サイズを入力させる「Ａ４」と表記された選択キー６５ａと、用紙のサイズとしてＡ５サイズを入力させる「Ａ５」と表記された選択キー６５ｂと、用紙のサイズとしてＡ６サイズを入力させる「Ａ６」と表記された選択キー６５ｃと、用紙のサイズとしてＡ４、Ａ５、Ａ６サイズ以外のサイズを入力させる「その他」と表記された選択キー６５ｄとが表示されている。選択キー６５ａ〜６５ｄは、ウィンドウ６４ａに囲われた枠内に表示されている。また、表示画面２１には、メディアタイプを入力させるウィンドウ６４ｂと、メディアタイプとして普通紙を入力させる「普通紙」と表記された選択キー６６ａと、メディアタイプとして厚紙を入力させる「厚紙」と表記された選択キー６６ｂと、メディアタイプとしてＯＨＰ（Ｏｖｅｒｈｅａｄ  Ｐｒｏｊｅｃｔｅｒ）シートを入力させる「ＯＨＰシート」と表記された選択キー６６ｃと、メディアタイプとして普通紙、裏紙、ＯＨＰシート以外のメディアタイプを入力させる「その他」と表記された選択キー６６ｄとが表示されている。選択キー６６ａ〜６６ｄは、ウィンドウ６４ｂに囲われた枠内に表示されている。
【００３１】
ここで、ユーザーは、用紙のサイズとしてＡ６サイズを入力するため、選択キー６５ｃを押下する。また、ユーザーは、メディアタイプとして普通紙を入力するため、選択キー６６ａを押下する。デジタル複合機１１は、選択キー６５ｃ、６６ａの押下を検知し、用紙のサイズとしてＡ６サイズというデータが入力されたこと、およびメディアタイプとして普通紙というデータが入力されたことを認識する。なお、図７において、選択キー６５ｃ、６６ａが押下された状態を、ハッチングで示している。
【００３２】
次に、入力された用紙のサイズ、およびメディアタイプについて、デジタル複合機１１の有する印刷の種別がサポートされていないものがあるか否かを判断する（Ｓ１３）。すなわち、入力されたデータに基づいて、デジタル複合機１１の有する複数の印刷の種別のうちのいずれが、給紙カセット２３ａにセットされた用紙に対して設定することが可能か否かを判断する。ここで、制御部１２は、第一の判断部として作動する。
【００３３】
デジタル複合機１１においては、印刷の種別として、コピー印刷、プリンター印刷、およびファクシミリ印刷を有している。しかし、デジタル複合機１１の印刷の種別として、ファクシミリを受信した際の印刷の用紙としてＡ６サイズのものがサポートされていない場合には、Ａ６サイズの用紙がセットされた給紙カセット２３ａについて、印刷の種別としてファクシミリ印刷がサポートされていないと判断する（Ｓ１４）。
【００３４】
また、給紙カセット２３ａについて、専用段の設定がなされたか否かを判断する（Ｓ１５）。専用段とは、デジタル複合機１１において、一つの印刷の種別に対して、給紙カセット２３ａ〜２３ｃまたは手差しトレイ２８のいずれかに収容された用紙を専用に用いることをいう。この場合、デジタル複合機１１は、一つのみの印刷の種別の設定を受け付ける。そして、デジタル複合機１１において、印刷の種別に応じて、給紙カセット２３ａに収容された用紙を専用に用いるか否かの設定がなされたか否かを判断する。
【００３５】
図８は、専用段の設定を行う場合の操作部１３の表示画面２１の一例を示す図である。図８を参照して、表示画面２１の上方領域には、「給紙カセット「１段目」の専用段の設定をしますか？」との問い合わせのメッセージ６７ａと、給紙カセット２３ａの専用段の設定をさせる「はい」と表記された選択キー６８ａと、給紙カセット２３ａの専用段の設定をしない「いいえ」と表記された選択キー６８ｂとが表示されている。また、表示画面２１の下方領域には、「専用段の設定をする場合、印刷の種別を設定してください。」とのメッセージ６７ｂと、専用段の印刷の種別としてコピー印刷を選択する場合に押下される「コピー印刷」と表記された選択キー６９ａと、専用段の印刷の種別としてプリンター印刷を選択する場合に押下される「プリンター印刷」と表記された選択キー６９ｂと、専用段の印刷の種別としてファクシミリ印刷を選択する場合に押下される「ファクシミリ印刷」と表記された選択キー６９ｃとが表示されている。
【００３６】
なお、Ａ６サイズの用紙を収納する１段目の給紙カセット２３ａにおいては、ファクシミリ受信した画像の印刷を専用に行う専用段の設定が不可能な構成である。このため、ファクシミリ受信した画像の印刷を設定する選択キー６９ｃは、単に表示されているのみであり、押下による選択ができない構成となっている。この場合、図８においては、単に表示されているのみの選択キー６９ｃの状態を、点線で示している。すなわち、操作部１３の表示画面２１において、第一の判断部により可能であると判断された印刷の種別の設定、ここでは、コピー印刷およびプリンター印刷を受け付け、第一の判断部により不可能であると判断された印刷の種別、ここでは、ファクシミリ印刷の設定を禁止している。また、操作部１３の表示画面は、一つのみの印刷の種別の設定、すなわち、専用段の設定を受け付ける。ここで、操作部１３等は、第一の受け付け部として作動する。
【００３７】
次に、ユーザーは、選択キー６８ａを押下し、給紙カセット２３ａの専用段の設定を選択し、さらに、給紙カセット２３ａについて、コピー印刷の専用段として設定し、選択キー６９ａを押下する（Ｓ１５において、ＹＥＳ）。図８において、選択キー６８ａ、６９ａが押下された状態をハッチングで示している。
【００３８】
そうすると、デジタル複合機１１は、給紙カセット２３ａについて、コピー印刷以外の印刷の種別での印刷を禁止する（Ｓ１６）。すなわち、給紙カセット２３ａを用いた印刷において、コピー印刷以外のものが要求された場合、例えば、表示画面２１に警告等を表示して印刷を行えないように設定する。
【００３９】
その後、デジタル複合機１１の有する複数の印刷機能について、印刷機能の許可設定が変更されたか否かを判断する（Ｓ１７）。すなわち、入力されたデータに基づいて、複数の印刷機能のうちのいずれが、給紙カセット２３ａにセットされた用紙に対して設定することが可能か否かを判断する。ここで、制御部１２は、第二の判断部として作動する。
【００４０】
図９は、印刷機能の許可設定を変更する場合の操作部１３の表示画面２１の一例を示す図である。図９を参照して、表示画面２１の上側領域には、「印刷機能の許可設定を変更しますか？」との問い合わせのメッセージ７１ａと、印刷機能の許可設定を変更させる「はい」と表記された選択キー７２ａと、印刷機能の許可設定を変更させない「いいえ」と表記された選択キー７２ｂとが表示されている。また、表示画面２１の下方領域には、「印刷機能の許可設定を変更する場合、各機能の設定を変更してください。」とのメッセージ７１ｂと、印刷機能の一つとしての「カラー印刷」の表示７３ａと、カラー印刷を許可する「許可」と表記された選択キー７４ａと、カラー印刷を禁止する「不許可」と表記された選択キー７４ｂと、印刷機能の一つとしての「両面印刷」の表示７３ｂと、両面印刷を許可する「許可」と表記された選択キー７４ｃと、両面印刷を禁止する「不許可」と表記された選択キー７４ｄと、印刷機能の一つとしての「集約印刷」の表示７３ｃと、集約印刷を許可する「許可」と表記された選択キー７４ｅと、集約印刷を禁止する「不許可」と表記された選択キー７４ｆと、印刷機能のその他のものの選択を促す「その他の許可設定を変更しますか？」との問い合わせのメッセージ７１ｃと、その他の許可設定を変更させる「はい」と表記された選択キー７４ｇと、その他の許可設定を変更させない「いいえ」と表記された選択キー７４ｈとが表示されている。
【００４１】
ここで、デジタル複合機１１として、Ａ６サイズの用紙を収納する１段目の給紙カセット２３ａにおいて、印刷機能として集約印刷を行う設定が不可能であると設定されていれば、許可設定において集約印刷の設定を許可する選択キー７４ｅは、単に表示されているのみである。具体的には、選択キー７４ｅは、押下による選択ができない構成となっており、既に選択キー７４ｆが押下されている状態となっている。この場合、図９においては、単に表示されているのみの選択キー７４ｅの状態を、点線で示している。また、図９においては、既に選択されている選択キー７４ｆを、ハッチングで示している。すなわち、操作部１３の表示画面２１は、第二の判断部により可能であると判断された印刷機能の設定、ここでは、カラー印刷の許可または不許可の設定、および両面印刷の許可または不許可の設定を受け付け、第二の判断部により不可能であると判断された印刷機能の設定、ここでは、集約印刷の許可または不許可の設定を禁止する。ここで、操作部１３等は、第二の受け付け部として作動する。なお、その他の許可設定の変更の有無については、選択キー７４ｇまたは選択キー７４ｈの押下により設定される。
【００４２】
次に、ユーザーは、給紙カセット２３ａについて、カラー印刷の許可の選択キー７４ａを押下する。また、ユーザーは、給紙カセット２３ａについて、給紙カセット２３ａにセットされた用紙が裏紙であるため、両面印刷の不許可の選択キー７４ｆを押下する。デジタル複合機１１は、選択キー７４ａ、７４ｄの押下を検知後、１段目の給紙カセット２３ａにおける印刷について、カラー印刷を許可し、両面印刷、および集約印刷を禁止する設定とする（Ｓ１８）。なお、図９において、選択キー７２ａ、７３ａ、７４ｄ、７４ｈが押下された状態をハッチングで示している。
【００４３】
その後、デジタル複合機１１に接続されている後処理装置４１について、入力されたデータに基づいて、複数の処理機能のうちのいずれが、給紙カセット２３ａにセットされた用紙に対して設定することが可能か否かを判断する（Ｓ１９）。すなわち、デジタル複合機１１において印刷される際に、接続されている後処理装置４１における処理機能の許可設定が変更されたか否かを判断する。ここで、制御部１２は、第三の判断部として作動する。
【００４４】
図１０は、後処理装置４１の処理機能の許可設定を変更する場合の操作部１３の表示画面２１の一例を示す図である。図１０を参照して、表示画面２１の上側領域には、「後処理装置の処理機能の許可設定を変更しますか？」との問い合わせのメッセージ７６ａと、後処理装置の処理機能の許可設定を変更させる「はい」と表記された選択キー７７ａと、後処理装置の処理機能の許可設定を変更させない「いいえ」と表記された選択キー７７ｂとが表示されている。また、表示画面２１の下方領域には、「後処理装置の処理機能の許可設定を変更する場合、各機能の設定してください。」とのメッセージ７６ｂと、後処理装置４１の処理機能の一つとしての「パンチ処理」の表示７８ａと、パンチ機構４２によるパンチ処理を許可する「許可」と表記された選択キー７９ａと、パンチ機構４２によるパンチ処理を禁止する「不許可」と表記された選択キー７９ｂと、後処理装置４１の処理機能の一つとしての「ステープル処理」の表示７８ｂと、ステープル機構４３によるステープル処理を許可する「許可」と表記された選択キー７９ｃと、ステープル機構４３によるステープル処理を禁止する「不許可」と表記された選択キー７９ｄと、後処理装置４１の処理機能の一つとしての「製本処理」の表示７８ｃと、製本機構４４による製本処理を許可する「許可」と表記された選択キー７９ｅと、製本機構４４による製本処理を禁止する「不許可」と表記された選択キー７９ｆと、後処理装置の処理機能のその他のものの選択を促す「その他の選択の許可設定を変更しますか？」との問い合わせのメッセージ７６ｃと、その他の許可設定を変更させる「はい」と表記された選択キー７９ｇと、その他の許可設定を変更させない「いいえ」と表記された選択キー７９ｈとが表示されている。
【００４５】
ここで、デジタル複合機１１として、Ａ６サイズの用紙を収納する１段目の給紙カセット２３ａにおいて、後処理装置４１の処理機能としてパンチ機構４２によるパンチ処理、および製本機構４４による製本処理が不可能であると設定されていれば、許可設定においてパンチ処理の設定を許可する選択キー７９ａ、および製本処理の設定を許可する選択キー７９ｅは、単に表示されているのみである。具体的には、押下による選択ができない構成となっている。図１０においては、選択キー７９ａ、７９ｅが単に表示されているのみの状態を、点線で示している。また、図１０においては、既に選択されている選択キー７９ｂ、７９ｆを、ハッチングで示している。すなわち、操作部１３の表示画面２１においては、第三の判断部により可能であると判断された処理機能の設定、ここでは、ステープル処理の許可または不許可を受け付け、第三の判断部により不可能であると判断された処理機能の設定、ここでは、パンチ処理の許可または不許可の設定、および製本処理の許可または不許可の設定を禁止する。ここで、操作部１３等は、第三の受け付け部として作動する。なお、その他の許可設定の変更の有無については、選択キー７９ｇまたは選択キー７９ｈの押下により設定される。
【００４６】
次に、ユーザーは、給紙カセット２３ａについて、ステープル処理の許可の選択キー７９ｃを押下する。デジタル複合機１１は、選択キー７９ｃの押下を検知後、給紙カセット２３ａにおける印刷について、ステープル処理を許可し、パンチ処理、および製品処理を禁止する設定とする（Ｓ２０）。なお、図１０において、選択キー７７ａ、７９ｃ、７９ｈが押下された状態をハッチングで示している。
【００４７】
そして、全ての設定の終了後、印刷を実行する（Ｓ２１）。この場合、上記した設定に基づき、給紙カセット２３ａに収容された用紙を用い、ＡＤＦ２２を用いて画像読み取り部１４によって読み取られたＡ６サイズの原稿の画像について、画像形成部１５において画像を形成し、印刷を行う。
【００４８】
なお、Ｓ１３、Ｓ１５、Ｓ１７、およびＳ１９において、それぞれＮＯの選択がなされれば、そのまま指定や設定を行わず、次の処理、すなわち、それぞれＳ１４、Ｓ１６、Ｓ１８、Ｓ２０へ進む。
【００４９】
このようなデジタル複合機１１によると、入力部により入力されたデータ、第一の受け付け部により受け付けた印刷の種別の設定、および第二の受け付け部により受け付けた印刷機能の設定に応じて、給紙カセット２３ａにセットされた用紙に対し、画像形成部１５による印刷を行う。この場合、第一の判断部により、入力部によって入力されたデータに基づいて、給紙カセット２３ａが印刷の種別の設定を不可能なものに対して印刷の種別の設定を禁止し、可能なものの設定を受け付けているため、不可能な印刷の種別の設定を行うことがない。また、第二の判断部により、入力部によって入力されたデータに基づいて、給紙カセット２３ａが印刷機能の設定を不可能なものに対して印刷機能の設定を禁止し、可能なものの設定を受け付けているため、不可能な印刷機能の設定を行うことがない。そして、入力部により入力されたデータ、第一の受け付け部により受け付けた印刷の種別、および第二の受け付け部により受け付けた印刷機能の設定に応じて、給紙カセット２３ａにセットされた用紙に対し、画像形成部１５による画像の印刷を行っているため、ユーザーの意図に沿って給紙カセット２３ａにセットされた用紙を用いて、印刷をすることができる。したがって、このようなデジタル複合機１１は、印刷ミスのおそれを低減し、よりユーザーの意図に沿った印刷をすることができる。
【００５０】
この場合、給紙カセット２３ａにセットされた用紙に対して後処理を施す後処理機能を複数有する後処理装置４１がデジタル複合機１１に接続されている構成である。また、デジタル複合機１１は、入力部に入力されたデータに基づいて、複数の処理機能のうちのいずれが、給紙カセット２３ａにセットされた用紙に対して設定することが可能か否かを判断する第三の判断部と、第三の判断部により可能であると判断された後処理機能の設定を受け付け、第三の判断部により不可能であると判断された処理機能の設定を禁止する第三の受け付け部とを備える構成である。また、制御部１２は、第三の受け付け部により受け付けた処理機能の設定に応じて、給紙カセット２３ａにセットされた用紙に対し、画像形成部１５による画像の印刷を行うよう制御している。したがって、後処理装置４１による後処理機能を用いて印刷を行う場合でも、印刷ミスのおそれを低減し、よりユーザーの意図に沿った印刷をすることができる。すなわち、例えば、裏紙がセットされた給紙カセット２３ａを指定して、両面印刷を行うことはなくなり、無駄な両面印刷を行うことがなくなる。また、給紙カセット２３ａをコピー印刷の専用段として、給紙カセット２３ａにセットされたＡ６サイズの裏紙の普通紙が、プリンター印刷として消耗されることを回避することができる。
【００５１】
なお、例えば、メディアタイプとして、厚紙が入力された場合やＯＨＰシートが入力された場合、両面印刷やパンチ処理、ステープル処理について、許可または不許可の設定が禁止される。すなわち、印刷や処理ができないものとして選択の余地がなく、不許可が設定される。
【００５２】
また、上記の実施の形態においては、給紙カセット２３ａの設定について説明したが、これに限らず、他の給紙カセット２３ｂ、２３ｃ、および手差しトレイ２８の設定についても、同様にそれぞれ可能である。すなわち、設定を行う給紙カセット２３ｂ、２３ｃ、手差しトレイ２８を、図６に示す選択画面で指定すればよい。
【００５３】
なお、上記の実施の形態においては、第二の判断部は、入力部により入力されたデータに基づいて、複数の印刷機能のうちのいずれが、用紙セット部にセットされた用紙に対して設定することが可能か否かを判断することとしたが、これに限らず、第二の判断部は、入力部により入力されたデータおよび第一の受け付け部により受け付けた印刷の種別の設定に基づいて、複数の印刷機能のうちのいずれが、用紙セット部にセットされた用紙に対して設定することが可能か否かを判断するよう構成してもよい。
【００５４】
また、上記の実施の形態においては、第三の判断部は、入力部により入力されたデータに基づいて、複数の処理機能のうちのいずれが、用紙部にセットされた用紙に対して設定することが可能か否かを判断することとしたが、これに限らず、第三の判断部は、入力部により入力されたデータ、第一の受け付け部により受け付けた印刷の種別の設定、および第二の受け付け部により受け付けた印刷機能の設定に基づいて、複数の処理機能のうちのいずれが、用紙部にセットされた用紙に対して設定することが可能か否かを判断するよう構成してもよい。
【００５５】
なお、上記の実施の形態において、複数の印刷の種別は、コピー印刷、プリンター印刷、およびファクシミリ印刷としたが、複数の印刷の種別として、コピー印刷、プリンター印刷、およびファクシミリ印刷のうちの少なくともいずれか一つが含まれることとしてもよい。
【００５６】
また、上記の実施の形態においては、専用段の設定をすることとしたが、これに限らず、一つの用紙セット部において、複数の印刷の種別を行えるよう構成してもよい。
【００５７】
なお、上記の実施の形態において、複数の印刷機能の設定には、モノクロ印刷かカラー印刷かの設定、および両面印刷か片面印刷かの設定のうちの少なくともいずれか一つを含むよう構成してもよい。
【００５８】
また、上記の実施の形態において、複数の処理機能には、パンチ機能、およびステープル機能のうちの少なくともいずれか一つの機能を含むよう構成してもよい。
【００５９】
なお、上記の実施の形態において、デジタル複合機は、用紙に後処理を施す着脱可能な後処理装置を備える構成としたが、これに限らず、この後処理装置は備えない構成としてもよい。また、例えば、画像形成の途中の用紙に中間処理を施す中間処理装置を備える構成としてもよい。
【００６０】
また、上記の実施の形態においては、用紙のサイズとメディアタイプとの双方を入力することとしたが、これに限らず、いずれか一方のみを入力し、この入力データに基づいて、印刷の種別の設定の可否の判断、または印刷機能の設定の可否の判断を行っても構わない。
【００６１】
なお、上記の実施の形態においては、印刷装置が全ての構成を備えることとしたが、これに限らず、印刷システムが全ての構成を備えることとしてもよい。すなわち、この発明の一実施形態に係る印刷システムは、複数の印刷の種別、および複数の印刷機能を有する印刷装置と、印刷装置に接続され、印刷装置に対して印刷を要求することができるコンピューターとを含む。印刷装置は、用紙に画像を印刷する印刷部と、印刷部によって画像が印刷される用紙をセットする用紙セット部とを備える。印刷装置およびコンピューターのいずれか一方は、用紙セット部にセットされる用紙のサイズおよび用紙のメディアタイプの少なくともいずれか一方のデータを入力させる入力部と、入力部により入力されたデータに基づいて、複数の印刷の種別のうちのいずれが、用紙セット部にセットされた用紙に対して設定することが可能か否かを判断する第一の判断部と、第一の判断部により可能であると判断された印刷の種別の設定を受け付け、第一の判断部により不可能であると判断された印刷の種別の設定を禁止する第一の受け付け部と、入力部により入力されたデータに基づいて、複数の印刷機能のうちのいずれが、用紙セット部にセットされた用紙に対して設定することが可能か否かを判断する第二の判断部と、第二の判断部により可能であると判断された印刷機能の設定を受け付け、第二の判断部により不可能であると判断された印刷機能の設定を禁止する第二の受け付け部と、入力部により入力されたデータ、第一の受け付け部により受け付けた印刷の種別、および第二の受け付け部により受け付けた印刷機能の設定に応じて、用紙セット部にセットされた用紙に対し、印刷部による画像の印刷を行うよう制御する制御部とを備える。このような構成としてもよい。
【００６２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６３】
この発明に係る印刷装置、および印刷システムは、印刷ミスの低減が要求される場合に、特に有効に利用される。
【符号の説明】
【００６４】
１１  デジタル複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  印刷システム、２８  手差しトレイ、２９  排出トレイ、３１  テンキー、３２  スタートキー、３３  電源キー、３４  メニューキー、３５  登録キー、３６  リセットキー、４１  後処理装置、４２  パンチ機構、４３  ステープル機構、４４  製本機構  ５１ａ，５１ｂ，５１ｃ，５１ｄ  作像ユニット、５２  作像器、５３  ＬＳＵ、５４  転写ベルト、５５ａ，５５ｂ  駆動ローラー、６１，６３，６７ａ，６７ｂ，７１ａ，７１ｂ，７１ｃ，７６ａ，７６ｂ，７６ｃ  メッセージ、６２ａ，６２ｂ，６２ｃ，６２ｄ，６５ａ，６５ｂ，６５ｃ，６５ｄ，６６ａ，６６ｂ，６６ｃ，６６ｄ，６８ａ，６８ｂ，６９ａ，６９ｂ，６９ｃ，７２ａ，７２ｂ，７４ａ，７４ｂ，７４ｃ，７４ｄ，７４ｅ，７４ｆ，７４ｇ，７４ｈ，７７ａ，７７ｂ，７９ａ，７９ｂ，７９ｃ，７９ｄ，７９ｅ，７９ｆ，７９ｇ，７９ｈ  選択キー、６４ａ，６４ｂ  ウィンドウ、７３ａ，７３ｂ，７３ｃ，７８ａ，７８ｂ，７８ｃ  表示。
【図１】
0006019082.tif 000002
【図２】
0006019082.tif 000003
【図３】
0006019082.tif 000004
【図４】
0006019082.tif 000005
【図５】
0006019082.tif 000006
【図６】
0006019082.tif 000007
【図７】
0006019082.tif 000008
【図８】
0006019082.tif 000009
【図９】
0006019082.tif 000010
【図１０】
0006019082.tif 000011